(57)【要約】【課題】  複数の計算機システムに同一のサービス設定を簡単、かつ、確実に行う。【解決手段】  ＯＳ３を備えた複数の計算機システムａ１〜ａｎの環境設定システムであって、計算機システムａ１に設けられたサービスセットシステム１と、計算機システムａ２〜ａｎのそれぞれに設けられたサービスセットシステム２とを有する。サービスセットシステム１は、計算機システムａ１内のＯＳ３から少なくとも一部のサービスに関する現在の設定情報を取得してサービス設定ファイルを作成する。サービスセットシステム２は、サービスセットシステム１にて作成されたサービス設定ファイルを取り込み、そのファイル内容にしたがって、自計算機システム内の該当するサービスの設定を書き替える。【選択図】  図１
2005050138.tif 000002
【特許請求の範囲】
【請求項１】
複数のサービスを提供するオペレーティングシステムを備えた複数の計算機システムの環境設定システムであって、
前記複数の計算機システムの中の１つの計算機システムに設けられた第１のサービスセットシステムと、
前記複数の計算機システムの中の、前記１つの計算機システムを除く他の計算機システムにそれぞれ設けられた第２のサービスセットシステムとを有し、
前記第１のサービスセットシステムは、
自計算機システム内の前記オペレーティングシステムから、該オペレーティングシステムが提供する前記複数のサービスの少なくとも一部のサービスに関する現在の設定情報を取得するサービス設定情報取得部と、
前記サービス設定情報取得部にて取得した現在の設定情報を含むサービス設定ファイルを作成するサービス設定ファイル作成部とを有し、
前記第２のサービスセットシステムは、
前記サービス設定ファイル作成部にて作成された前記サービス設定ファイルを取り込むためのサービス設定ファイル取り込み部と、
前記サービス設定ファイル取り込み部にて取り込まれた前記サービス設定ファイルの内容にしたがって、自計算機システム内の前記オペレーティングシステムが提供する前記複数のサービスのうちの該当するサービスの設定を書き替えるサービス設定部とを有する環境設定システム。
【請求項２】
前記１つの計算機システムは、前記他の計算機システムとネットワークを介して接続されており、
前記第１のサービスセットシステムは、前記サービス設定ファイル作成部にて作成された前記サービス設定ファイルを前記ネットワークを介して前記サービス設定ファイル取り込み部に供給するサービス設定ファイル送信部をさらに有する、請求項１に記載の環境設定システム。
【請求項３】
複数のサービスを提供するオペレーティングシステムを備えた複数の計算機システムの環境設定システムであって、
前記複数の計算機システムの中の１つの計算機システムが、自計算機システム内の前記オペレーティングシステムから、該オペレーティングシステムが提供する前記複数のサービスの少なくとも一部のサービスに関する現在の設定情報を取得し、該取得した現在の設定情報を含むサービス設定ファイルを作成する第１のステップと、
前記複数の計算機システムの中の、前記１つの計算機システムを除く他の計算機システムのそれぞれが、前記第１のステップで作成されたサービス設定ファイルの内容にしたがって、自計算機システム内の前記オペレーティングシステムが提供する前記複数のサービスのうちの該当するサービスの設定を書き替える第２のステップとを含む環境設定方法。
【請求項４】
前記１つの計算機システムが、前記第１のステップで作成したサービス設定ファイルを前記他の計算機システムのそれぞれにネットワークを介して送信するステップをさらに含む、請求項３に記載の環境設定方法。
【請求項５】
複数のサービスを提供するオペレーティングシステムを備えた複数の計算機システムにおいて用いられるプログラムであって、
前記複数の計算機システムの中の１つの計算機システムにおいて、自計算機システム内の前記オペレーティングシステムから、該オペレーティングシステムが提供する前記複数のサービスの少なくとも一部のサービスに関する現在の設定情報を取得し、該取得した現在の設定情報を含むサービス設定ファイルを作成する第１の処理を実行させ、
前記複数の計算機システムの中の、前記１つの計算機システムを除く他の計算機システムのそれぞれにおいて、前記第１の処理で作成されたサービス設定ファイルの内容にしたがって、自計算機システム内の前記オペレーティングシステムが提供する前記複数のサービスのうちの該当するサービスの設定を書き替える第２の処理を実行させるプログラム。
【請求項６】
前記１つの計算機システムにおいて、前記第１の処理で作成したサービス設定ファイルを前記他の計算機システムのそれぞれにネットワークを介して送信する処理をさらに実行させる、請求項５に記載のプログラム。
【発明の詳細な説明】
【技術分野】
【０００１】
本発明は、パーソナルコンピュータ（以下、パソコンと略す）やワークステーションなどに代表される計算機システムの環境設定、特に、複数の計算機システムに同一のサービス設定を行うシステムおよび方法に関する。さらには、本発明は、そのようなサービス設定を行うためのプログラムに関する。
【背景技術】
【０００２】
計算機システムのサービス設定では、予めインストールされた汎用ＯＳ（オペレーティングシステム）に含まれている複数のサービスから利用形態に応じて必要なサービスを設定する、といった設定作業が行われる。このような設定作業では、通常、専用ツールが用いられる。例えば、「Windows OS」（マイクロソフト社の登録商標）では環境設定ツールが用意されており、ユーザ（またはシステム管理者）は、この環境設定ツールを使用することで利用形態に応じたサービス設定を簡単に行うことができる。
【０００３】
複数の計算機システムに同一のサービス設定を行う場合は、システム管理者は、それぞれの計算機システム上で、ＯＳの環境設定ツールを利用した手作業によるサービス設定が行われる。一例として、特許文献１には、サーバと、これに接続される複数のワークステーションとからなるシステムにおいて、ワークステーションのそれぞれでサービス設定を行うことが記載されている。この例では、ワークステーションのそれぞれにおいて、サーバにアクセスすることで、特定のファイルおよびプログラムがダウンロードされて予め割り当てられているサービスのメニューが表示される。ユーザは、その表示されたメニューから必要なサービスを選択して環境設定を行う。
【特許文献１】特表２００２−５２９８４８号
【発明の開示】
【発明が解決しようとする課題】
【０００４】
しかしながら、上述した従来の手法には以下のような問題がある。
【０００５】
例えば「Windows OS」がインストールされたパソコン上で、環境設定ツールを用いてサービス設定を行う場合は、まず、設定画面上に表示される複数のサービスのうちから１つのサービスを選択し、この選択したサービスについて複数の設定項目の指定を行って、その設定を有効にする、といった一連の作業が行われる。また、複数のサービスを選択する場合は、選択したサービスのそれぞれについて、その一連の作業を行う必要がある。このような作業を、複数のパソコンのそれぞれで行うと、膨大な作業となり、非常に作業効率が悪い。例えば、１００台のコンピュータについて、１０個のサービスを選択して設定する場合は、各パソコン上で、「１つサービスを選択し、複数の設定項目に対して指定を行い、設定を有効にする」という一連の作業を１０回繰り返すことになり、全体では１０００回繰り返すことになる。
【０００６】
また、単純な繰り返しであっても、作業手順が膨大になると、作業ミスも発生し易くなる。同じような作業の繰り返しが多い場合、流れ作業による慣れからくる注意力の低下が作業ミスの要因となっている場合が多い。
【０００７】
本発明の目的は、上記問題を解決し、複数の計算機システムに同一のサービス設定を簡単、かつ、確実に行うことのできる、環境設定システムおよび環境設定方法ならびにプログラムを提供することにある。
【課題を解決するための手段】
【０００８】
上記目的を達成するため、本発明の環境設定システムは、複数のサービスを提供するオペレーティングシステムを備えた複数の計算機システムの環境設定システムであって、
前記複数の計算機システムの中の１つの計算機システムに設けられた第１のサービスセットシステムと、
前記複数の計算機システムの中の、前記１つの計算機システムを除く他の計算機システムにそれぞれ設けられた第２のサービスセットシステムとを有し、
前記第１のサービスセットシステムは、
自計算機システム内の前記オペレーティングシステムから、該オペレーティングシステムが提供する前記複数のサービスの少なくとも一部のサービスに関する現在の設定情報を取得するサービス設定情報取得部と、
前記サービス設定情報取得部にて取得した現在の設定情報を含むサービス設定ファイルを作成するサービス設定ファイル作成部とを有し、
前記第２のサービスセットシステムは、
前記サービス設定ファイル作成部にて作成された前記サービス設定ファイルを取り込むサービス設定ファイル取り込み部と、
前記サービス設定ファイル取り込み部にて取り込まれた前記サービス設定ファイルの内容にしたがって、自計算機システム内の前記オペレーティングシステムが提供する前記複数のサービスのうちの該当するサービスの設定を書き替えるサービス設定部とを有することを特徴とする。
【０００９】
また、本発明の環境設定方法は、複数のサービスを提供するオペレーティングシステムを備えた複数の計算機システムの環境設定方法であって、
前記複数の計算機システムの中の１つの計算機システムが、自計算機システム内の前記オペレーティングシステムから、該オペレーティングシステムが提供する前記複数のサービスの少なくとも一部のサービスに関する現在の設定情報を取得し、該取得した現在の設定情報を含むサービス設定ファイルを作成する第１のステップと、
前記複数の計算機システムの中の、前記１つの計算機システムを除く他の計算機システムのそれぞれが、前記第１のステップで作成されたサービス設定ファイルの内容にしたがって、自計算機システム内の前記オペレーティングシステムが提供する前記複数のサービスのうちの該当するサービスの設定を書き替える第２のステップとを含むことを特徴とする。
【００１０】
また、本発明のプログラムは、複数のサービスを提供するオペレーティングシステムを備えた複数の計算機システムにおいて用いられるプログラムであって、
前記複数の計算機システムの中の１つの計算機システムにおいて、自計算機システム内の前記オペレーティングシステムから、該オペレーティングシステムが提供する前記複数のサービスの少なくとも一部のサービスに関する現在の設定情報を取得し、該取得した現在の設定情報を含むサービス設定ファイルを作成する第１の処理を実行させ、
前記複数の計算機システムの中の、前記１つの計算機システムを除く他の計算機システムのそれぞれにおいて、前記第１の処理で作成されたサービス設定ファイルの内容にしたがって、自計算機システム内の前記オペレーティングシステムが提供する前記複数のサービスのうちの該当するサービスの設定を書き替える第２の処理を実行させることを特徴とする。
【発明の効果】
【００１１】
上述したとおりの本発明の環境設定システム、環境設定方法およびプログラムにおいては、１つの計算機システム上で作成されたサービス設定ファイルの内容で他の計算機システムにおけるサービス設定の内容が置き換えられる。これにより、他の計算機システムについては、「サービス設定ファイルの内容に置き換える」という１度の作業で様々なサービスの設定が可能となり、従来の手法のような、「サービスを選択し、複数の設定項目に対して指定を行い、設定を有効にする」という作業の繰り返しを行わなくても済む。このように、本発明によれば、他の計算機システムについては、従来の「選択したサービス毎に複数の設定項目の指定を行ってその設定を有効にする」という煩雑な手順から、「サービス設定ファイルの内容に置き換える」という簡単な手順になっているため、サービス設定に必要な作業が従来の場合に比べて大幅に簡略化される。よって、作業の効率化を図ることができる。
【００１２】
また、手順が簡略化されているため、作業時間も短縮することができる。
【００１３】
さらに、作業の繰り返しがなくなるため、作業ミスも軽減される。
【発明を実施するための最良の形態】
【００１４】
次に、本発明の実施形態について図面を参照して説明する。
【００１５】
図１に、本発明の一実施形態である環境設定システムの概略構成を示す。この環境設定システムは、複数の計算機システムａ１〜ａｎから構成される大規模システムに適用されるものであって、計算機システムａ１に設けられるサービスセットシステム１と、他の計算機システムａ２〜ａｎに設けられるサービスセットシステム２とからなる。
【００１６】
計算機システムａ１〜ａｎは、パソコンやワークステーションなのどの既存の計算機システムであって、環境設定部３ａを有するオペレーティングシステム（ＯＳ）３が予めインストールされている。ＯＳ３は、例えば「Windows OS」などの既存のＯＳであって、複数のサービスを提供する。環境設定部３ａは、ＯＳ３の機能の１つであるサービス設定用のインタフェースである。
【００１７】
各計算機システムａ１〜ａｎは、図示していないが、ＣＰＵ、主記憶装置、入出力装置から構成されており、主記憶装置に予め格納されたプログラムをＣＰＵが実行することで、後述するサービスセットシステム１、２およびＯＳ３の各機能が提供される。入出力装置としては、例えば磁気ディスク装置、光ディスク装置、プリンタ、キーボード、マウス、ディスプレイ装置、通信制御装置などがあり、ＣＰＵが、キーボードやマウスからの入力を受け付けて各装置の動作を制御するようになっている。
【００１８】
サービスセットシステム１は、サービス設定ファイル送信部１０、サービス設定ファイル作成部１１およびサービス設定情報取得部１２を有する。サービス設定情報取得部１２は、環境設定部３ａを介してＯＳ３により提供される各サービスの現在の設定状態を表す情報（設置情報）を取得するものである。サービス設定ファイル作成部１１は、サービス設定情報取得部１２で取得した現在の設定情報に基づいて、他の計算機システムａ２〜ａｎに設定すべき情報を含む共通のサービス設定ファイルを作成するものである。サービス設定ファイル送信部１０は、送信要求に応じて、サービス設定ファイル作成部１１にて作成されたサービス設定ファイルを他の計算機システムａ２〜ａｎに設けられたサービスセットシステム２へ送信する。このサービス設定ファイルの送信は、ネットワークを介して行われる。
【００１９】
他の計算機システムａ２〜ａｎに設けられたサービスセットシステム２は、いずれも同じものであるので、ここでは、計算機システムａ２のサービスセットシステム２を例に具体的な構成を説明する。
【００２０】
サービスセットシステム２は、サービス設定ファイル取り込み部２０とサービス設定部２１からなる。サービス設定ファイル取り込み部２０は、計算機システムａ２上でシステム管理者が所定の入力操作を行うと、サービス設定ファイル送信部１０に対してサービス設定ファイルの送信を要求して、サービス設定ファイル送信部１０からサービス設定ファイルを取り込む。サービス設定部２１は、サービス設定ファイル取り込み部２０にて取り込まれたサービス設定ファイルの内容にしたがって、計算機システムａ２内のＯＳ３が提供するサービスのうちの該当サービスの設定を行う。
【００２１】
次に、本実施形態の環境設定システムにおいて行われる環境設定手順について具体的に説明する。
【００２２】
システム管理者は、計算機システムａ１〜ａｎに同一のサービス設定を行うために、まず、計算機システムａ１上で、ＯＳ３を起動してサービスの設定を行う。このサービスの設定には、従来行われていた環境設定ツールを利用した設定手法を用いる。次いで、システム管理者は、計算機システムａ１上でサービスセットシステム１を起動してサービス設定ファイルの作成を行うとともに、他の計算機システムａ２〜ａｎ上でＯＳ３およびサービスセットシステム２をそれぞれ起動してサービスセットシステム１で作成されたサービス設定ファイルに基づく環境設定を行う。以下、各サービスセットシステム１、２による動作を説明する。
【００２３】
（１）サービスセットシステム１によるサービス設定ファイルの作成動作：
サービスセットシステム１が起動されると、サービス設定情報取得部１２が、環境設定部３ａを介してＯＳ３により提供される全サービスの現在の設定情報を取得し、サービス設定ファイル作成部１１が、その取得した設定情報に基づいて、他の計算機システムａ２〜ａｎのＯＳ３を設定するために必要な共通のサービス設定ファイルを作成する。そして、サービス設定ファイル送信部１０が、他の計算機システムａ２〜ａｎに設けられたサービスセットシステム２からの送信要求に応じて、その作成したサービス設定ファイルを送信する。
【００２４】
サービス設定ファイルの作成は、サービスセットシステム１が計算機システム３ａの画面上に提示する、例えば図２に示すようなサービス設定画面上でシステム管理者が入力操作を行うことで実行される。
【００２５】
サービス設定画面には、サービスの名称、スタートアップの情報および現在の状態の各項目からなる設定一覧表１００、「テンプレート」のボタン１０１、「読込」のボタン１０２、「設定」のボタン１０３、および「終了」のボタン１０４などが設けられている。このサービス設定画面上で、システム管理者が「テンプレート」のボタン１０１を押下する（例えばマウスを用いて、画面上に表示されたポインタをボタン上に移動させてクリックする）と、サービス設定情報取得部１２が、環境設定部３ａを介してＯＳ３により提供される全てのサービスの現在の設定情報を１件ずつ取得して設定一覧表１００に順次表示する。
【００２６】
全サービスの現在の設定情報が設定一覧表１００に表示されると、サービス設定ファイル作成部１１が、設定一覧表１００に表示された設定情報に基づいてサービス設定ファイルを作成する。こうして作成されたサービス設定ファイルには、ＯＳ３が提供する全サービスの設定情報がテキスト形式で格納されている。テキスト形式での設定情報の格納例としては、例えば図３に示すような形式がある。この例では、１行毎にサービスの設定内容がテキスト形式で格納される。例えば１行目には「サービスＳ１,service 1, 1, 1」、２行目には「サービスＳ２,service 2, 2, 1」といった具合に格納される。ここで、「service 1, 1, 1」のカンマで区切られた項目のうち、最初の「service 1」はサービス名、次の「1」はスタートアップ、その次の「1」は状態をそれぞれ表す。スタートアップの項目では、例えば「1」は自動、「2」は手動を意味する。また、状態の項目では、例えば「1」は開始、「2」は停止を意味する。
【００２７】
図４に、サービスセットシステム１によるサービス設定ファイルの作成作業の流れを模式的に示す。この例では、計算機システムａ１において、ＯＳ３によりサービスＳ１〜Ｓ８が提供されている。現在の設定状態として、サービスＳ１、Ｓ３、Ｓ７、Ｓ８については、スタートアップが「自動」、状態が「開始」に設定され、サービスＳ２、Ｓ６については、スタートアップが「手動」、状態が「停止」に設定され、サービスＳ４、Ｓ５については、スタートアップが「手動」、状態が「開始」に設定されている。サービスセットシステム１は、「テンプレート」のボタンが押下されると、全サービスＳ１〜Ｓ８について現在設定されている状態をそのまま取り込んでサービス設定ファイル１ａを作成する。
【００２８】
全サービスＳ１〜Ｓ８の設定情報を他の計算機システムａ２〜ａｎの環境設定に使用したい場合は、サービス設定ファイル１ａをそのまま使用する。サービスＳ１〜Ｓ８のうちの一部のサービスに関する設定情報を他の計算機システムａ２〜ａｎの環境設定に使用したい場合は、サービス設定ファイル１ａの内容を修正する必要がある。サービス設定ファイル１ａの内容の確認および修正は、既存のエディタを使用することで行うことができる。例えば、サービスＳ１、Ｓ４の２つのサービスに関する設定情報を他の計算機システムａ２〜ａｎの環境設定に使用したい場合は、システム管理者は、計算機システムａ１上でエディタを使用してサービス設定ファイルを開き、その内容から不要なサービスＳ２、Ｓ３、Ｓ５〜Ｓ８の項目を削除する。
【００２９】
以上のようにして、計算機システムａ１上に、他の計算機システムａ２〜ａｎで使用するための共通のサービス設定ファイルが準備される。この後、サービスセットシステム１は、他の計算機システムａ２〜ａｎからの送信要求待ち状態となる。
【００３０】
（２）サービスセットシステム２による環境設定動作：
他の計算機システムａ２〜ａｎのそれぞれでは、サービスセットシステム２が起動されると、サービス設定ファイル取り込み部２０が、計算機システムａ１にて作成されたからサービス設定ファイルを取り込む。そして、サービス設定部２１が、自計算機システム内のＯＳ３により提供されるサービスのうちの該当するサービスの設定を、サービス設定ファイル取り込み部２０で取り込んだサービス設定ファイルの内容に置き換える。
【００３１】
上記のサービス設定ファイルの取り込みおよびサービス設定の処理は、サービスセットシステム２が自計算機システムの画面上に表示する図２に示したサービス設定画面上で、システム管理者が入力操作を行うことで実行される。
【００３２】
まず、システム管理者は、サービス設定画面上で「読込」のボタン１０２を押下すると、サービス設定ファイル取り込み部２０が、計算機システムａ１に対してサービス設定ファイルの送信を要求する。計算機システムａ１では、その送信要求に応じて、サービス設定ファイル送信部１０が、上記（１）の処理で準備したサービス設定ファイルをサービス設定ファイル取り込み部２０へ送信する。こうしてサービス設定ファイルがサービス設定ファイル取り込み部２０にて取り込まれ、その取り込まれたサービス設定ファイルの内容がサービス設定画面上の設定一覧表１００に表示される。
【００３３】
システム管理者は、設定一覧表１００に表示されたサービス設定ファイルの内容を確認した後、サービス設定画面上で「設定」のボタン１０３を押下する。すると、サービス設定部２１が、その設定一覧表１００に表示されたサービス設定ファイルの内容で、ＯＳ３により提供されるサービスのうちの該当サービスの設定を書き換える。
【００３４】
一例として、図５に、計算機システムａ２における、サービスセットシステム２によるサービス設定の流れを模式的に示す。この例では、計算機システムａ２において、ＯＳ３によりサービスＳ１〜Ｓｎが提供されており、システム管理者により、現在の設定状態として、サービスＳ１については、スタートアップが「手動」、状態が「開始」に設定され、サービスＳ２については、スタートアップが「手動」、状態が「停止」に設定されている。説明を簡潔なものにするため、他のサービスＳ３〜Ｓｎの設定についてはここでは省略する。
【００３５】
サービスセットシステム２は、「読込」のボタンが押下されると、サービスセットシステム１からサービス設定ファイル１ａを取得する。このサービス設定ファイル１ａには、サービスＳ１について、スタートアップが「自動」、状態が「開始」に設定され、サービスＳ４について、スタートアップが「手動」、状態が「開始」に設定された情報が格納されている。
【００３６】
次いで、サービスセットシステム２は、「設定」のボタンが押下されると、サービス設定ファイル１ａに格納されている設定情報にしたがって計算機システムａ２におけるサービス設定を行う。この設定により、計算機システムａ２のサービスＳ１〜Ｓｎのうち、サービスＳ１、Ｓ４の設定状態が、サービス設定ファイル１ａに格納されている設定状態となる。このとき、サービス設定ファイル１ａに無いサービスについては、そのまま、現在の状態が維持される。なお、「終了」のボタンを押下することで、サービスに設定に関する処理を終了させることができる。
【００３７】
以上のように、本実施形態の環境設定システムによれば、システム管理者は、計算機システムａ１上で、所望のサービス設定を行った後に、サービスセットシステム１を使用してその設定内容の一部または全部の情報を含むサービス設定ファイルを作成するとともに、他の計算機システムａ２〜ａｎ上で、サービスセットシステム２を使用してその作成したサービス設定ファイルの内容でのサービス設定を行うだけで、複数の計算機システムａ１〜ａｎに対して同一のサービス設定を行うことができる。このサービス設定において、システム管理者に対して要求される基本的な作業は、
（ａ）計算機システムａ１上で、所望のサービス設定を行う。
（ｂ）計算機システムａ１上で、サービスセットシステム１を起動して「テンプレート」のボタンを押す。
（ｃ）他の計算機システムａ２〜ａｎ上でそれぞれサービスセットシステム２を起動して、「読込」および「設定」のボタンを押下する。
の３つである。従来行われていた、選択したサービス毎に複数の設定項目の指定を行ってその設定を有効にする、といった一連の作業は、上記（ａ）の作業において、計算機システムａ１についてのみ行えばよく、他の計算機システムａ２〜ａｎについてはそのような一連の作業を行う必要はない。よって、サービス設定に関する作業数は、従来と比べて格段に少なくなり、作業効率が大幅に改善される。例えば、２０台の計算機システムのサービス設定を行う場合は、従来かかっていた手間の２０分の１で済む。
【００３８】
さらに、作業の工程数が少なくなった分、作業人員も少なくてもすむ。
【００３９】
また、他の計算機システムａ２〜ａｎへのサービス設定については、システム管理者は、上記（ｃ）の作業を行うだけで、自動的にサービス設定が行われるので、作業ミスが生じる恐れは殆ど無い。
【００４０】
上述した効果は、設定する必要のあるサービスの数が多ければ多いほど、また、設定が必要な計算機システムの数が多ければ多いほど大きくなる。また、本実施形態で説明したサービス設定は、組織内で大量にパソコンを購入してサービスを設定する、といった初期のシステム生成において有効であることはもちろん、すでにサービス設定が施されたシステムにおいて、一部のサービス設定をシステム全体で変更する場合にも有効である。
【００４１】
上述した本実施形態の環境設定システムにおいて、他の計算機システムａ２〜ａｎへのサービス設定ファイルの供給は、ネットワークを介して行われるようになっているが、これに替えて、情報の書き込みが可能なＣＤ（コンパクトディスク）やフロッピーディスクなどに代表されるリムーバル媒体にサービス設定ファイルを格納し、それを計算機システムａ２〜ａｎへ供給するようにしてものよい。この場合の動作を、以下に簡単に説明する。
【００４２】
図１に示したシステムにおいて、計算機システムａ１〜ａｎのそれぞれは、記録媒体、例えばＣＤに対する情報の書き込みおよび読み出しが可能なディスク装置を備える。システム管理者は、サービス設定ファイルの作成にあたって、計算機システムａ１のディスク装置に新しいＣＤをセットする。この状態で、「テンプレート」のボタンが押されると、サービス設定ファイル作成部１１にてサービス設定ファイルが作成される。そして、サービス設定ファイル送信部１０が、その作成したサービス設定ファイルをディスク装置に転送してＣＤに格納させる。また、システム管理者は、他の計算機システムａ２〜ａｎのサービス設定を行うにあたって、設定対象である計算機システムのディスク装置に、上記サービス設定ファイルを格納したＣＤをセットする。この状態で、「読込」のボタンが押されると、ディスク装置からＣＤに格納されたサービス設定ファイルが読み出されてサービス設定ファイル取り込み部２０に格納される。そして、サービス設定部２１が、その格納されたサービス設定ファイルの内容に従ってサービス設定を行う。
【００４３】
また、本実施形態の環境設定システムにおいて、サービスセットシステム１、２は基本的にはプログラムによって実現される。このプログラムは、計算機システムの記憶装置に予めインストールされていても良いし、ＣＤ−ＲＯＭなどの記録媒体で提供されてもよい。
【００４４】
以上説明した本実施形態の環境設定システムは一例であり、本発明はその構成および動作に限定されるものではなく、共通のサービス設定ファイルを用いて複数の計算機システムに対して同一のサービス設定を行う、という本発明の趣旨を逸脱しない範囲で適宜、システムの変形が可能である。
【図面の簡単な説明】
【００４５】
【図１】本発明の一実施形態である環境設定システムの概略構成を示すブロック図である。
【図２】図１に示す環境設定システムにおいて用いられるサービス設定画面の一例を示す模式図である。
【図３】図１に示す環境設定システムにおいて作成されるサービス設定ファイルの一例を示す模式図である。
【図４】図１に示す環境設定システムにおいて行われるサービス設定ファイルの作成作業の流れを示す模式図である。
【図５】図１に示す環境設定システムにおいて行われるサービス設定作業の流れを示す模式図である。
【符号の説明】
【００４６】
ａ１〜ａｎ  計算機システム
１、２  サービスセットシステム
１ａ  サービス設定ファイル
３  オペレーティングシステム
３ａ  環境設定部
１０  サービス設定ファイル送信部
１１  サービス設定ファイル作成部
１２  サービス設定情報取得部
２０  サービス設定ファイル取り込み部
２１  サービス設定部
１００  設定一覧表
１０１〜１０４  ボタン
【図１】
2005050138.tif 000003
【図２】
2005050138.tif 000004
【図３】
2005050138.tif 000005
【図４】
2005050138.tif 000006
【図５】
2005050138.tif 000007